(57)【要約】      （修正有）【課題】口部を必要に応じて足先まで閉じた状態にすることができ、開口状態あるいは開口しない状態において、ファッション性に優れて体裁が良く、また履物を履いた状態でも使用時に違和感を与えることのない履装具を提供する。【解決手段】足袋１の先部に足先を露出しうる開口縁１１と、開口縁１１の開口を閉塞する閉塞手段とを設けてなり、閉塞手段は、閉塞された開口縁１１の端部が足先と逆方向へ折り返されるか或いは内部へ折り込まれた状態に保持しうることを特徴とする。閉塞手段は、開口縁１１を口縁に沿って合わせて閉じた第一閉塞状態と、開口縁１１の少なくとも一部を又は外部に折り返して、又は内部に折り込んで閉塞した第二閉塞状態との２状態を選択して保持しうる。【選択図】図２
2011137272.tif 000002
【特許請求の範囲】
【請求項１】
足袋の先部に足先を露出しうる開口縁と、開口縁の開口を閉塞する閉塞手段とを設けてなり、この閉塞手段は、閉塞された開口縁の端部が足先と逆方向へ折り返されるか或いは内部へ折り込まれた状態に保持しうることを特徴とする履装具。
【請求項２】
閉塞手段は、開口縁を口縁に沿って合わせて閉じた第一閉塞状態と、開口縁の少なくとも一部を又は外部に折り返して、又は内部に折り込んで閉塞した第二閉塞状態とを選択して保持しうる請求項１に記載の履装具。
【請求項３】
閉塞手段は、係止材と被係止材とから対構成される一対又は複数対の係止具からなり、各対の係止材と被係止材は、開口縁の端面視における略対称位置に対向して設けられ、前記第二閉塞状態においては、各対の係止具の前記略対称位置と異なる位置にある折り返し片同士を開口縁の内側に折り返して、各係止材をその対となる被係止材に係止させる請求項２に記載の履装具。
【請求項４】
足袋は、袋先が開口すると共に、この開口した袋先に、先端を前記開口縁とする環状の覆い布が取り外し可能に周着され、前記閉塞手段は、この覆い布２の開口縁に沿う先端部分或いはその近傍に設けられる請求項１、２又は３のいずれかに記載の履装具。
【発明の詳細な説明】
【技術分野】
【０００１】
本発明は、足先を覆う足袋を一本ずつ又はまとめて一対有し、素足に履いて装着する履装具（ストッキング、靴下、タイツを含む）に関する。
【背景技術】
【０００２】
女性の下半身全体を覆うストッキングは、足にフィットする伸縮性の素材からなるため、拘束感がある。また一対の袋状部が左右それぞれの足全体を覆うため、履装具をはいた状態では足指間に鼻緒を配した履物を履くことができず、足指の治療を行うことができない。これらに鑑みて、足先部を開放した履装具が要求される。
従来、ストッキングの足裏部の一部に周囲に解れ止め加工を施して伸縮自在の引き出し穴を儲け、この引き出し穴から足指先部の挿通を自在としたものが開示される（例えば、特許文献１参照）。これは、バレエの途中で足の怪我等に際し、ストッキングを脱ぐことなくすばやく手当てできるものとされる。
【０００３】
また従来、爪先部から足部の着脱が可能な靴下として、ストッキングの足底部に開口部を形成し、縁には伸縮性のある素材をつなぎ合わせたものが開示される（例えば、特許文献２参照）。これはつめ先部から足部の着脱が可能なものとして、必要に応じて容易に足を露出し、不快感を解消するものとされる。
【先行技術文献】
【特許文献】
【０００４】
【特許文献１】実開平７−１５７０５号公報
【特許文献２】特開２００４−３０８０２９号公報
【発明の開示】
【発明が解決しようとする課題】
【０００５】
しかしながら、上記従来の靴下あるいはストッキングは、開口部が足底にあると共に、開口部が切り離したままであったり、開閉部の折り返しカバーが重ねあわせられたままであったりして、足先まで閉じた状態にすることができなかった。
【０００６】
また上記いずれも、開口時には足先が開口部から露出したままカバー部がひっくり返った状態のまま、あるいは、開口部より先の部分が余ったままである。また開口部が足裏以外に配置されたときは、開口を使用しない場合でも、開口となる切り離し部がそのまま露出した状態となる。このため、開口状態あるいは開口しない状態において、ファッション性に優れるとはいえず、また体裁の良いものとはいえなかった。
【０００７】
特に、上記靴下あるいはストッキングを装着したまま履物を履く際に、開放先の上に余った部分を履物内に押し込めて収容する状態となり、履物を履いた状態で、前記余った部分が装着者に違和感を与えるものであった。
【０００８】
そこで本発明においては、口部を必要に応じて足先まで閉じた状態にすることができ、開口状態あるいは開口しない状態において、ファッション性に優れて体裁が良く、また履物を履いた状態でも使用時に違和感を与えることのない履装具を提供することを課題とする。
【課題を解決するための手段】
【０００９】
上記課題を解決するため、本発明では下記（１）ないし（４）の手段を講じている。
（１）すなわち、本発明の履装具は、足袋１の先部に足先を露出しうる開口縁１１と、開口縁１１の開口を閉塞する閉塞手段とを設けてなり、この閉塞手段は、閉塞された開口縁１１の端部が足先と逆方向へ折り返されるか或いは内部へ折り込まれた状態に保持しうることを特徴とする。
（２）前記閉塞手段は、開口縁１１を口縁に沿って合わせて閉じた第一閉塞状態と、開口縁１１の少なくとも一部を又は外部に折り返して、又は内部に折り込んで閉塞した第二閉塞状態との２状態を選択して保持しうることが好ましい。
（３）前記閉塞手段は、係止材３１ａ、３２ａと被係止材３１ｂ、３２ｂとから対構成される一対又は複数対の係止具からなり、各対の係止材３１ａ、３２ａと被係止材３１ｂ、３２ｂは、開口縁１１の端面視における略対称位置に対向して設けられ、
前記第二閉塞状態においては、各対の係止具の前記略対称位置と異なる位置にある折り返し片同士を開口縁１１の内側に折り返して、係止材と被係止材とを互いに係止させることが好ましい。
（４）前記（１）〜（４）のいずれかにおいて、足袋１は、袋先が開口すると共に、この開口した袋先に、先端を前記開口縁１１とする環状の覆い布２が取り外し可能に周着され、前記閉塞手段は、この覆い布２の開口縁１１に沿う先端部分或いはその近傍に設けられることが好ましい。
【００１０】
開口縁１１の一部を脚先と逆方向に折り込むか折り返すことで、余分な布材がはみ出したり収まりが悪いといった状態を回避することができ、閉塞状態での体裁を良好に保つことができる。また折り返し片を調整することで開口量を調整することができ、また使用時の装着感、履物の使用時の違和感を回避したりすることができる。また閉塞手段として、係止具を開口縁の正面視にて対称位置に対向して設けたものであれば、係止動作や係止の解除動作によって、開口状態や閉塞状態への移行を容易かつ迅速に行うことができる。
【発明の効果】
【００１１】
本発明では上記手段を講じることによって、口部を必要に応じて足先まで閉じた状態にすることができ、開口状態あるいは開口しない状態において、ファッション性に優れて体裁が良く、また履物を履いた状態でも使用時に違和感を与えることのない履装具を提供することができる。
【図面の簡単な説明】
【００１２】
【図１】開口状態ｏにある実施例１の履装具の全体構成を示す平面説明図。
【図２】実施例１の履装具の開口状態ｏを示す正面（ａ）及び側面（ｂ）視部分拡大図。
【図３】実施例１の履装具の中間状態ｏｓを示す面（ａ）及び側面（ｂ）視部分拡大図。
【図４】実施例１の履装具の閉塞状態ｓを示す面（ａ）及び側面（ｂ）視部分拡大図。
【図５】実施例１の履装具の第一閉塞状態ｓ１を示す面（ａ）及び平面（ｂ）視部分拡大図。
【図６】実施例１の履装具の先部片側を折り返した正面（ａ）及び平面（ｂ）視部分拡大図。
【図７】実施例１の履装具の第二閉塞状態ｓ２を示す正面（ａ）及び平面（ｂ）視部分拡大図。
【図８】実施例２の履装具の開口状態ｏを示す正面（ａ）及び平面（ｂ）視部分拡大図。
【図９】実施例２の履装具の先部を折り返した正面部分拡大図（ａ）及びそのＡ−Ａ線側面視端面図（ｂ）。
【図１０】実施例２の履装具の第一閉塞状態ｓ１（及び第二閉塞状態ｓ２）を示す正面（ａ）及び平面（ｂ）視部分拡大図。
【図１１】実施例３の履装具の開口状態ｏを示す正面（ａ）及び平面（ｂ）視部分拡大図。
【図１２】実施例３の履装具の先部下側を折り返した正面視拡大図（ａ）及び第一閉塞状態ｓ１を示す平面視拡大図（ｂ）。
【図１３】実施例３の履装具の中間状態ｏｓを示す正面（ａ）及び側面（ｂ）視部分拡大図。
【図１４】実施例３の履装具の第二閉塞状態ｓ２´を示す正面（ａ）及び側面（ｂ）視部分拡大図。
【図１５】実施例４の履装具の開口状態ｏを示す正面視部分拡大図。
【図１６】実施例４の履装具の閉塞状態ｓを示す正面（ａ）及び平面（ｂ）視部分拡大図。
【図１７】実施例４の履装具の先部片側を折り返した平面視部分拡大図。
【図１８】実施例４の履装具の第二閉塞状態ｓ２を示す平面視部分拡大図。
【発明を実施するための形態】
【００１３】
本発明の実施の形態について図面を参照して詳細に説明する。図１〜図７は、本発明の実施例１の履装具、図８〜図１０は本発明の実施例２の履装具、図１１〜１４は本発明の実施例３の履装具、図１５〜図１８は本発明の実施例４の履装具をそれぞれ示す。いずれの実施例においても、足袋１の先部に足先を露出しうる開口縁１１と、開口縁１１の開口を閉塞する閉塞手段とを設けてなり、足袋１は、袋先が開口すると共に、この開口した袋先に、先端を前記開口縁１１とする環状の覆い布２が取り外し可能に周着され、前記閉塞手段は、覆い布２の開口縁１１に沿う先端部分或いはその近傍に設けられる。
【００１４】
そして本発明の履装具は、閉塞された開口縁１１の端部が足先と逆方向へ折り返されるか或いは内部へ折り込まれた状態に保持しうる開口縁１１を開口させた開口状態ｏ（図１，８，１１，１５）と、開口縁１１を口縁に沿って合わせて閉じた第一閉塞状態ｓ１（図５、図１０、図１２（ｂ）、図１６）と、開口縁１１の少なくとも一部を又は外部に折り返して、又は内部に折り込んで閉塞した第二閉塞状態ｓ２、ｓ２´（図４、７、図１０（ｂ）の仮想線、図１４、図１８）との各状態を選択して保持しうる。
【００１５】
（履装具本体）履装具本体は、足にフィットする伸縮性の素材からなり、一対の足先がそれぞれ切断されることで開口部が設けられる。この切断縁が覆い布２に覆われる事で内部切断縁１２を構成する。切断箇所は、足を収容する袋部分が伸張されない状態において、対象者のふくらはぎ辺りである。
【００１６】
開口部は、開口縁１１に沿って設けられた覆い布２と、この覆い布２の開口側の側辺に沿って挿設された緊結紐３とから構成される。
【００１７】
（覆い布２）覆い布２は、伸縮材で構成された筒状体からなり、切り取られた履装具の足先の全周を囲うと共にその先端を開口縁１１とする。この覆い布２は、少なくとも一部分又は全部が履装具地と重ねられて、伸縮性を有する縫合糸によって履装具本体に縫合されるか、ボタン構造等によって履装具本体へ取り外し可能に固定される。覆い布２の構成材は伸縮性のあるレース地材、あるいはストッキングの股布２Ｄと同じ伸縮材等を選択することが好ましい。以下各実施例の構成につき詳述する。
【００１８】
（閉塞手段３）閉塞手段３は、ボタンホールとボタンからなるボタン構造、凹凸係止あるいはフック状係止による係止構造、ファスナー構造、ひもによる緊結構造のいずれでもよく、これらを複数構造ずつあるいは複数種類組み合わせてもよい。
【実施例１】
【００１９】
本発明の実施例１履装具はその全体構成（図１）として、それぞれの先端が開口した２本の足袋１と、足袋１を繋ぐ股布１Ｄとを有して下半身を覆うことのできる履装具本体と、各足袋１の先部付近に取り外し可能に取り付けられて足袋１の先端周囲を覆う環状の覆い布２と、この覆い布２の先端にて使用者の五本すべての足指を露出しうる大きさの開口部を形成する開口縁１１と、覆い布２に設けられ、開口縁１１の開口を閉塞する閉塞手段とを具備する。ここで閉塞手段は、係止材３１ａ、３２ａと被係止材３１ｂ、３２ｂとから対構成される２対の係止具からなり、係止材と被係止材は一方が覆い布２の表面に、他方が裏面に固定される。
【００２０】
実施例１の係止材は、片側の足先の部分拡大図（図２）に示すように左右係止具３１と上下係止具３２の２対からなる。２対とも係止材３１ａ、３２ａと係止材が係止／分離する被係止材３１ｂ、３２ｂとからなり、係止材３１ａ、３２ａは表側に凸部を、被係止材３１ｂ、３２ｂは表側に前記凸部に対応する凹穴をそれぞれ有したいわゆるホック構造となっており、被係止材の凹穴に係止材３１ａの凸部が嵌入して係止状態となり、また凸部を引き抜くことで係止状態を解除することができる。
【００２１】
２対の係止具のうち左右係止具３１は、覆い布２の一側部外面に固定された係止材３１ａと、覆い布２の他側部内面であって前記係止材３１ａの正面視対向位置に固定された被係止材３１ｂからなる。係止材３１ａ、被係止材３１ｂはそれぞれ、足先の左側面側であって高さ方向略中央よりも下方寄りの位置に、及び、覆い布の内面であって足先の右側面側かつ高さ方向略中央よりも下方寄りの位置に一対配置され、覆い布２の足幅方向に対向係止して閉塞させる（図３ａ）。それぞれ高さ方向中央位置よりも下方寄りにずれて設けられることで、左右係止材３２同士のみを対向係止させた中間状態ＯＳ（図３）において、中間状態ＯＳの開口縁１１が上部にのみ大きく開口することとなり、上下係止具３２の上下対向係止が容易となる。また高さ方向中央位置よりも下方寄りにて高さを揃えて設けられることで、装着時、履物の使用時に違和感が生じにくく、またその後の足の上下の係止作業（図４）において上側の覆い布２の上側部分を被せやすくしている。
【００２２】
２対の係止具のうち上下係止具３２は、覆い布２の上部内面に固定された係止材３２ａと、覆い布２の下部外面であって前記係止材３２ａの正面視略対向位置に固定された被係止材３２ｂからなり、それぞれ足先の平面幅方向略中央位置と、底面幅方向略中央位置よりも一側方（図２では正面視右方向）へ僅かにずれて一対配置され、覆い布２の足甲側から足裏側へ対向係止して閉塞させる（図４ａｂ）。また上下係止具３２の足先からの長さ方向取り付け距離Ｌ３２は、左右係止具の足先からの長さ方向取り付け距離Ｌ３１よりも大きく、Ｌ３２がＬ３１の少なくとも１２０％以上、好ましくは１５０％以上であることが好ましい。
【００２３】
係止材３２ａが幅方向中央位置に配置固定され、また左右係止材３２が高さ方向中央よりも下方寄りにずれて配置固定されることで、左右係止材３２同士のみを対向係止させた中間状態ＯＳ（図３）において、中間状態ＯＳにある開口縁１１の開口中央に露出することとなり、覆い布２によって隠蔽されにくいことで上下の係止作業を容易にしている（図３）。また被係止材３２ｂが、係止材３２ａよりも幅偏倚量３２ｔだけ一側方寄りにずれて足先の下側に配置固定され、左右係止具３１が上下係止具３２よりも足先側に固定される（すなわちＬ３２＞Ｌ３１となっている）ことで、覆い布２の左右同士を重ねて対向係止させた中間状態ＯＳ（図３）においても、被係止材３２ｂが覆い布２の左右部分によって隠蔽されにくいことで上下の係止作業を容易にしている（図３）。
【００２４】
実施例１の履装具は、まず左右係止具３１同士を対向係止させて中間状態ｏｓ（図３）とし、次いで上下係止具３２同士を対向係止させて、左右先部片をそれぞれ内側に折り込んだ第二閉塞状態ｓ２´（図４）とすることができる。或いは上下係止具３２同士のみを対向係止させて開口縁１１を口縁に沿ってとじ合わせた第一閉塞状態ｓ１（図５）とすることができる。またさらに、第一閉塞状態ｓ１から、先部片側の角部が中央位置へくるように、左右それぞれの角部含む折り返し片２１Ｆａ，２１Ｆｂを三角状に順に折り返して（図６、図７）、左右先部片をそれぞれ下側に折り重ねた第二閉塞状態ｓ２（図７）とすることができる。
【実施例２】
【００２５】
実施例２（図８〜図１０）の係止材は、一つの足袋１にて幅方向に並列形成された２対の上下係止具３０からなる。２対とも係止材３０ａとこの係止材３０ａが係止／分離する被係止材３０ｂとからなり、各対の係止材、被係止材が、それぞれ覆い布２の上部外面、下部外面であって、共に幅方向同位置に固定される。２対とも、被係止材３０ｂは係止材３０ａよりもわずかに足先寄りの位置に配置固定される。この位置関係のズレによって、上側の折り返し片２２Ｆａが下側の折り返し片２２Ｆｂよりも折り返し幅が大きくなるようになっており、開口縁１１に沿って係止具を含む折り返し片２２Ｆａ、２２Ｆｂで折り返した状態（図９）で、折り返し縁が足の長さ方向にずれて形成される。覆い布２の左右には切り込み２０が形成され、折り返しを容易としている。
【００２６】
実施例２の履装具は、まず上側の折り返し片２２Ｆａが下側の折り返し片２２Ｆｂを内側に折り返して上下係止具３２同士を対向させた第二開口状態ｏ２とすることができる。この第二閉塞状態ｏ２から各対の上下係止具３２を対向係止させて開口縁１１を口縁に沿ってとじ合わせた第一閉塞状態ｓ１（図１０の実線及び破線）とすることができる。またさらに、第一閉塞状態ｓ１から、先部片側の角部が中央位置へくるように、左右それぞれの角部含む折り返し片２２Ｆｃを三角状に順に折り返して（図１０ｂ）、左右先部片をそれぞれ下側に折り重ねた第二閉塞状態ｓ２（図１０ｂの二点鎖線）とすることができる。
【実施例３】
【００２７】
実施例３（図１１〜図１４）の係止材は、一つの足袋１にて上下位置に形成された１対の上下係止具３０からなる。係止材３０ａとこの係止材３０ａが係止／分離する被係止材３０ｂとからなり、各対の係止材、被係止材が、それぞれ覆い布２の上部内面、下部外面に固定される。このうち上側の係止材３０ａは下側の被係止材３０ｂよりもわずかに足先寄りの位置に配置固定される。この位置関係のズレによって、下側の折り返し片２２Ｆａが下側の折り返し片２２Ｆｂよりも折り返し幅が大きくなるようになっている。また覆い布２の先部は左右辺が内側に絞られた絞り部２１が形成され、先端に向かって開口断面が小さくなっている。
【００２８】
実施例３の履装具は、まず下側の折り返し片２２Ｆｂを内側に折り返して上下係止具３２同士を対向させた第二開口状態ｏ２（図１２ａ）とすることができる。この第二開口状態ｏ２から各対の上下係止具３２を対向係止させて開口縁１１を口縁に沿ってとじ合わせた第一閉塞状態ｓ１（図１２ｂ）とすることができる。またさらに、開口状態ｏから、先部片片側の角部が中央位置へくるように、左右それぞれの角部含む折り返し片を互いに合わせるように折り返して（図１３）、それぞれ係止具を対向係止した第二閉塞状態ｓ２（図１４）とすることができる。
【実施例４】
【００２９】
実施例４（図１５〜図１８）の係止材は、ファスナーＦによって開口されると共に、左右角部付近に一対の左右係止具３１を覆い布２の表面に有する。左右係止具３１は係止材３１ａとこの係止材３０ａが係止／分離する被係止材３１ｂとからなり、それぞれ覆い布２の上布のうち左角部外面、及び下布のうち右角部外面に固定される。また覆い布２の先部は左右辺が内側に絞られた絞り部２１が形成され、先端に向かって開口断面が小さくなっている。
【００３０】
実施例４の履装具は、ファスナーＦを綴じ合わせた第一閉塞状態ｓ１（図１６）とすることができ、この第一閉塞状態ｏ１から係止材３１ａ、被係止材３１ｂをそれぞれ含む三角状の折り返し片（図１７，１８）を折り返すことで、角部の折り返し片を外面（裏側または表側）に折り返した第二閉塞状態ｓ２（図１８）とすることができる。また、開口状態ｏ（図１５）において左右の係止材同士を対向係止させて開口縁１１を第三閉塞状態ｓ１（図示せず）とすることもできる。
【００３１】
上記各実施例の形態であれば、全開を除く開口状態ｏ或いは閉塞状態Ｓのいずれにおいても、ファッション性に優れ、体裁に優れたものとなる。また第一閉塞状態、第二閉塞状態を選択して保持することができ、異なる第二閉塞状態を選択して保持することが出来る。装着感や履物の種類や足の状態等に応じて閉塞状態のバリエーションを選択し、開口の大きさや折り返し片の収容形態を変えることができる。
【００３２】
また折り返し片の折り返し量を調整することで、足指の防護性や防寒性を容易に確保することも可能である。上記履装具において、開口縁にそって開口部を緊結する緊結紐を挿通し、緊結紐が覆い布２を緊結する緊結量によって開口の大きさ及び開口位置を調節しうるものとしてもよい。このようなものであれば足指のうちまとまった任意本数だけを露出させ、残りの足指を伸縮性の覆い布２で覆うことができる。この場合、たとえば覆い布２が伸縮性のあるレース地であって一部分が履装具地と重ねられて縫合されると共に、緊結紐３が覆い布２の表裏面を交互に挿通する平リボンであることが好ましい。特に、伸縮性を有する縫合糸で縫合されることで、履装具地及び覆い布の伸縮性に縫合糸が追従して伸縮することができる。
【００３３】
また上記いずれかの履装具において、覆い布２が伸縮性のあるレース地であって一部分が履装具地と重ねられて縫合されると共に、緊結紐が覆い布２の表裏面を交互に挿通する平リボンであることが好ましい。特に、伸縮性を有する縫合糸で縫合されることで、履装具地及び覆い布の伸縮性に縫合糸が追従して伸縮することができる。
【００３４】
また覆い布２は各実施例のように先端あるいは基端が飾り縁様に形成された任意のデザインが施されるほか、股布１Ｄと同様の無地素材を使用した伸縮材、あるいは保温性を有する編み織材を使用してもよい。この先端の覆い布２の形態によって開口縁１１を構成するため、体裁がよく、又開口部の強度を確保し、足先付近を保護することができる。レース地材で構成されるものであれば、足先付近の防寒機能と通気機能とを両備したものとなる。その他、本発明は上述した実施例に限定されることなく、本発明の趣旨を逸脱しない範囲において実施例の各構成の組合せ或いは除外が可能である。
【産業上の利用可能性】
【００３５】
本発明の履装具は、拘束感をやわらげるために開口部を開口させて使用するほか、本発明の履装具をはいたままの状態でも足指間に鼻緒を配した履物（下駄、雪駄、サンダル等）を履くことができる。また足指の治療を行うことができる。また開放状態とすることで、５本指の靴下を本発明の履装具の上から重ね履きできる。
【符号の説明】
【００３６】
１１  開口縁
２  覆い布
１  足袋
ｓ１  第一閉塞状態
ｓ２  第二閉塞状態
３０ａ、３１ａ、３２ａ  係止材
３０ｂ、３１ｂ、３２ｂ  被係止材
【図１】
2011137272.tif 000003
【図２】
2011137272.tif 000004
【図３】
2011137272.tif 000005
【図４】
2011137272.tif 000006
【図５】
2011137272.tif 000007
【図６】
2011137272.tif 000008
【図７】
2011137272.tif 000009
【図８】
2011137272.tif 000010
【図９】
2011137272.tif 000011
【図１０】
2011137272.tif 000012
【図１１】
2011137272.tif 000013
【図１２】
2011137272.tif 000014
【図１３】
2011137272.tif 000015
【図１４】
2011137272.tif 000016
【図１５】
2011137272.tif 000017
【図１６】
2011137272.tif 000018
【図１７】
2011137272.tif 000019
【図１８】
2011137272.tif 000020